(57)【要約】      （修正有）【課題】介護用パンツの着脱の作業負荷を軽減するとともに、ベッドのシーツの交換作業負荷の軽減も可能とする介護用パンツを提供する。【解決手段】矩形の布体の対向するいずれかの二辺間を背丈方向とした上辺部に、腰部で調整可能な伸縮材を取り付けた縫製部１１と、上辺部に対向する下辺部から、前記背丈方向に股下までわたり周り幅に二分する裁断部１４と、布体の幅方向で対向する側辺部に、縫製部から股上部までの長さで、両辺が前身頃で係合可能に取り付けられた雌雄留め部１５と、裁断部で二分されて形成された各わたり幅領域の側辺部と対向する股下辺部とに、配列された係着離脱自在な複数の係着部１６と、を有し、仰臥位状態又は横臥位状態で雌雄留め部の係合及び係着部の係着が可能であるとともに、雌雄留め部を解除し、係着部を離脱して展開状態にすることにより、シーツとして機能する。【選択図】図１
0003225415.tif 000002
【実用新案登録請求の範囲】
【請求項１】
矩形の布体の対向するいずれかの二辺間を背丈方向とした上辺部に、腰部で調整可能な伸縮材を取り付けた縫製部と、
前記上辺部に対向する下辺部から、前記背丈方向に股下までわたり周り幅に二分する裁断部と、
前記布体の幅方向で対向する側辺部に、前記縫製部から股上部までの長さで、両辺が前身頃で係合可能に取り付けられた雌雄留め部と、
前記裁断部で二分されて形成された各わたり周り幅領域の前記側辺部と、前記側辺部に対向する前記裁断部側の股下の側辺部とに、配列された係着離脱自在な複数の係着部と、
を有し、
仰臥位状態又は横臥位状態で前記雌雄留め部の係合及び係着部の係着が可能であるとともに、前記雌雄留め部を解除し、係着部を離脱して展開状態にすることにより、シーツとして機能する、介護用パンツ。
【請求項２】
前記布体が、前記背丈方向の長さで、一対の前身頃パーツと一対の後身頃パーツとから構成され、前記一対の後身頃パーツを前記上辺部から前記股上部まで重ね縫いによって結合する尻繰り縫合部と、前記尻繰り縫合部と前記幅方向で対向する各後身頃パーツの脇丈辺と前記各前身頃パーツの脇丈辺とを結合する一対の脇縫い部とを有する、請求項１記載の介護用パンツ。
【請求項３】
前記雌雄留め部が、一対のスナップボタンを前記側辺部に配列したものである、請求項１又は請求項２記載の介護用パンツ。
【請求項４】
前記係着部が、面ファスナである、請求項１から請求項３までのいずれか１項に記載の介護用パンツ。
【請求項５】
前記展開状態にしたときに、前記股下の側辺部に配列された前記係着部は、前記仰臥位状態又は横臥位状態で着衣する者が前記布体に接する面とは反対側の面に配列されている、請求項１から請求項４までのいずれか１項に記載の介護用パンツ。
【考案の詳細な説明】
【技術分野】
【０００１】
本発明は、介護用パンツに関するものであり、特に、要介護者が寝たままで着衣可能な介護用パンツに関するものである。
【背景技術】
【０００２】
要介護者に対する着衣、特に、パンツの着替えは、介護者の作業負荷が大きい。すなわち、パンツを着替える場合、通常、両脚を持ち上げてから、パンツの開口部に挿入し、股下付け根近傍まで引き上げた後、腰部を持ち上げた状態で履かせるという工程を要する。
【０００３】
従来、上記のような作業負荷を軽減させるため、胴、腿を包む布地に開閉器具（全開ファスナ、ボタン、ホック等の一種、或いは二種の組合せ）を取り付け、開閉自在にした二線を設けることにより、脚を差し抜きしないで着脱できるようにしたパンツ（例えば、特許文献１参照）、トランクス本体の両前身頃の中央をウエスト部より脚部にかけ切開き、開口部にボタンと面ファスナを設けたもの（特許文献２参照）などが提案されていた。
【先行技術文献】
【特許文献】
【０００４】
【特許文献１】実開昭５９−１２５９０３号公報
【特許文献２】特願２０００−１７５０１号公報
【考案の概要】
【考案が解決しようとする課題】
【０００５】
しかし、前記先行技術では、臥位状態の要介護者に対して、前記両脚の持ち上げ工程の作業負荷は軽減できるが、依然として、腰部の持ち上げ工程の作業負荷を軽減することはできないという問題があった。そもそも、両脚の持ち上げ作業に関しては、作業工程は増えるものの、片脚ごとに持ち上げるようにしても、前記パンツを履かせることができるため、腰部の持ち上げ作業に比べれば作業負荷は高くない。したがって、介護者の作業負荷の軽減ためには、むしろ、前記腰部の持ち上げ工程の作業負荷の軽減が重要である。
【０００６】
ところで、臥位状態の要介護者に対する作業負荷は、前記着衣の着脱のほか、ベッドのシーツの取り換え作業もある。特に、パンツの着脱とシーツ交換の作業を連続して順次行う場合の作業負荷は大きくなる。
【０００７】
本考案は、上記課題を解消させるためのものであり、介護用パンツの着脱の作業負荷を軽減するとともに、ベッドのシーツの交換作業負荷の軽減も可能とする介護用パンツを提供することを目的とする。
【課題を解決するための手段】
【０００８】
上記目的を達成させるために、本考案にかかる介護用パンツは、矩形の布体の対向するいずれかの二辺間を背丈方向とした上辺部に、腰部で調整可能な伸縮材を取り付けた縫製部と、
前記上辺部に対向する下辺部から、前記背丈方向に股下までわたり周り幅に二分する裁断部と、
前記布体の幅方向で対向する側辺部に、前記縫製部から股上部までの長さで、両辺が前身頃で係合可能に取り付けられた雌雄留め部と、
前記裁断部で二分されて形成された各わたり周り幅領域の前記側辺部と、前記側辺部に対向する前記裁断部側の股下の側辺部とに、配列された係着離脱自在な複数の係着部と、
を有し、
仰臥位状態又は横臥位状態で前記雌雄留め部の係合及び係着部の係着が可能であるとともに、前記雌雄留め部を解除し、係着部を離脱して展開状態にすることにより、シーツとして機能することを最も主要な特徴とする。
【０００９】
この構成によれば、シーツの上で、少なくとも、仰臥位又は横臥位状態の要介護者を持ち上げることなく、パンツを履かせることができる。
【００１０】
前記布体が、前記背丈方向の長さで、一対の前身頃パーツと一対の後身頃パーツとから構成され、前記一対の後身頃パーツを前記上辺部から前記股上部まで重ね縫いによって結合する尻繰り縫合部と、前記尻繰り縫合部と前記幅方向で対向する各後身頃パーツの脇丈辺と前記各前身頃パーツの脇丈辺とを結合する一対の脇縫い部とを有するものとしてもよい。
【００１１】
この構成によれば、シーツ状の形態にした場合に、平面状態を維持しやすく、また、パンツ形状にする場合の脇丈辺の目安が明確になる。
【００１２】
前記展開状態にしたときに、前記股下の側辺部に配列された前記係着部は、前記仰臥位状態又は横臥位状態で着衣する者が前記布体に接する面とは反対側の面に配列されるようにすればよい。
【００１３】
この構成によれば、シーツとして利用する場合に、係着部が、直接要介護者の肌に触れないようにすることができる。
【考案の効果】
【００１４】
本考案にかかる介護用パンツは、介護用パンツの着脱の作業負荷を軽減するとともに、ベッドのシーツの交換作業負荷も軽減するという効果を奏する。
【図面の簡単な説明】
【００１５】
【図１】図１は、本明細書で開示する介護用パンツの前身頃側正面図である。
【図２】図２は、前身頃側でスナップボタン及び面ファスナを解除した状態を示した図である。
【図３】図３は、スナップボタンが配列された部分を拡大して示した図である。
【図４】図４は、面ファスナが配列された部分を拡大して示した図である。
【図５】図５は、シーツ状に展開した状態を示した図である。
【図６】図６は、要介護者に本明細書で開示する介護用パンツを履かせる手順を示した図であり、（Ａ）は、介護用パンツを展開し、シーツとして敷いた上に要介護者が仰臥位で寝ている状態を示した図、（Ｂ）は、片足側を履かせた状態を示した図、（Ｃ）は、介護用パンツを履かせた状態を示した図である。
【考案を実施するための形態】
【００１６】
以下、図面を参照しながら本明細書による開示を実施するための形態を説明する。先に説明した実施形態に対応する構成要素を後続の実施形態が有する場合には、同一の符号を付して重複する説明を省略する。また、各実施形態において構成の一部のみを説明している場合、当該構成の他の部分については先行して説明した実施形態の参照符号を使用する場合がある。各実施形態で具体的に組み合わせが可能であることを明示していない場合でも、特に当該組み合わせに支障が生じなければ、実施形態同士を部分的に組み合わせることも可能である。また、図中の各部材の大きさは、説明を容易とするため適宜強調されており、実際の寸法、部材間の比率を示すものではない。
【００１７】
図１から図４は、本明細書で開示する介護用パンツ１を示した図であり、図１は、パンツ形状にした状態の前身頃側正面図、図２は、前身頃側でスナップボタン及び面ファスナを解除した状態を示した図、図３は、スナップボタンが配列された部分を拡大して示した図、図４は、面ファスナが配列された部分を拡大して示した図である。以下、図１から図４までの図面を使用して介護用パンツ１の構成を説明する。
【００１８】
介護用パンツ１は、上端の開口部を形成する周縁に、腰部で調整可能な伸縮材（例えば、ゴム）を取り付けた縫製部１１と、腹部及び臀部を覆う股上部１２と、両脚をそれぞれ包囲する股下部１３と、内股部分の股下部１３を形成するために二分された裁断部４から構成されている。
【００１９】
股上部１２は、左右の腹囲前幅領域１２１、１２２を備える。腹囲前幅領域１２１、１２２は、雌雄留め部１５が係合されることによって、筒状に形成される。本実施の形態では、雌雄留め部１５は、図３の拡大図で示す通り、左右の縁に雌側留め具１５１と雄側留め具１５２とが、基材となるテープ１５３、１５４に等間隔に配列して固着されたスナップテープによって構成されているが、固着方法は、特に、前記スナップテープに限定する趣旨ではない。
【００２０】
股下部１３は、左右のわたり前幅領域１３１、１３２を備える。わたり前幅領域１３１、１３２は、係着部１６によって両脚を挿通可能な筒状に形成される。係着部１６は、本実施の形態では、図４の拡大図で示す通り、わたり前幅領域１３１、１３２の裁断部１４を形成する４辺（後述するわたり周り幅領域を構成する４辺）の縁部に、各々、係着離脱自在な一対の面ファスナ１６１Ａ及び１６２Ａと、１６１Ｂ及び１６２Ｂと、１６３Ａ及び１６４Ａと、１６３Ｂ及び１６４Ｂとが、背丈方向に配列されている。各面ファスナは、後述するように所定の位置に縫着されている。なお、本実施の形態では、面ファスナを例示的に２つずつ配列しているが、３つ以上であってもよい。
【００２１】
以上の通り、介護用パンツ１は、雌雄留め部１５によって形成された筒状の開口の上縁に設けられた縫製部１１のゴムによって、腰部で固定され、前記筒状の開口からさらに二分された筒状の股下部１３に両脚をそれぞれ通すことにより、着衣可能となる。
【００２２】
本明細書で開示する介護用パンツ１は、図２で示す通り、雌雄留め部１５及び係着部１６を解除して展開することにより、図５のような形態になる。以下、図５を使って展開した場合の構成を説明する。
【００２３】
介護用パンツ１は、展開することにより、矩形の布体となる。以下、図面視正面の面を表面とし、裏側の面を裏面とする。この矩形の布体は、図１乃至図４で説明したパンツ形状にした場合の背丈方向（図５正面視で上下方向）の対向する二辺のうち上辺部に展開された状態の縫製部１１が位置する。前記上辺部の長さは、前記の通り、腰部で調整可能な伸縮材を取り付けているので、前記対向する下辺部よりも、短くなる。したがって、前記下辺部から上辺部に向けてテーパ状に形成されている。
【００２４】
縫製部１１の長手方向中央から、前記背丈方向下辺部に向かって股上までは、尻繰り縫合部１９が形成されている。裁断部１４は、前記下辺部から、前記背丈方向に股下までわたり周り幅に布体を二分する。図５では、裁断部１４は、後述するように、面ファスナ１６２Ａ、１６４Ａ及び面ファスナ１６２Ｂ、１６４Ｂで係着され、閉じた状態になっている。
【００２５】
前記布体の幅方向に対向する側辺部には、縫製部１１から股上部１２の長さで雌雄留め部１５、すなわち、本実施の形態では、スナップテープが、取り付けられている。一方、裁断部１４によって二分された股下部１３（わたり周り幅）の４辺の側辺部には、係着部１６、すなわち、面ファスナが取り付けられている。
【００２６】
ところで、本実施の形態では、布体は、４つのパーツを縫い合わせて形成されている。前記４つのパーツは、いずれも、前記背丈方向の長さを有する一対の前身頃パーツ及び一対の後身頃パーツから構成されている。前記一対の前身頃パーツは、腹囲前幅領域１２１及びわたり前幅領域１３１から構成される第１前身頃パーツと、腹囲前幅領域１２２及びわたり前幅領域１３２から構成される第２前身頃パーツとから構成される。一方、前記一対の後身頃パーツは、腹囲後幅領域１２３及びわたり後幅領域１３３から構成される第１後身頃パーツと、腹囲後幅領域１２４及びわたり後幅領域１３４から構成される第２後身頃パーツとから構成される。
【００２７】
第１後身頃パーツの腹囲後幅領域１２３と第２後身頃パーツの腹囲後幅領域１２４とは、前記上辺部から股上までの隣り合う側辺部を重ね縫いによって結合し、尻繰り縫合部１９を形成する。また、第１後身頃パーツ及び第２後身頃パーツの幅方向に尻繰り縫合部１９と対向する脇丈辺と、第１前身頃パーツ及び第２前身頃パーツの脇丈辺（雌雄留め部１５及び係着部１６が取り付けられている側辺部に対して前記幅方向で対向する辺）とを重ね縫いによって結合し、一対の脇縫い部１７、１８を形成する。
【００２８】
前記第１前身頃パーツのわたり前幅領域１３１及び前記第１後身頃パーツのわたり後幅領域１３３と、前記第２前身頃パーツのわたり前幅領域１３２及び前記第２後身頃パーツのわたり後幅領域１３４とは、前記幅方向で介護用パンツ１の着衣時の各大腿部を包囲するわたり周り幅領域を形成する。このわたり周りを形成するために、係着部１６は、前記展開状態で、前記第１前身頃パーツの側辺部の表面側に面ファスナ１６１Ａ、１６１Ｂを配列して取り付けている。面ファスナ１６１Ａ、１６１Ｂに係着される第１後身頃パーツの面ファスナ１６２Ａ、１６２Ｂは、裁断部１４側股下の側辺部の裏面側に配列して取り付けている。一方、前記第２前身頃パーツの側辺部の裏面側に面ファスナ１６３Ａ、１６３Ｂを配列して取り付け、面ファスナ１６３Ａ、１６３Ｂに係着される第２後身頃パーツの面ファスナ１６４Ａ、１６４Ｂは、裁断部１４側股下の側辺部の表面側に配列して取り付けている。
【００２９】
そして、前記展開状態、すなわち、矩形の布体とするためには、裁断部１４を閉じた状態にする必要がある。したがって、面ファスナ１６４Ａ、１６４Ｂの上に面ファスナ１６２Ａ、１６２Ｂを係着する。前記矩形の布体は、介護用パンツ１を展開することによって、要介護者が着衣している介護用パンツ１をベッド上でシーツとして利用することが可能になる。そして、前記シーツとして利用するために、前記展開状態にして裁断部１４を閉じた状態にすると、前記股下の側辺部に配列された係着部１６（面ファスナ１６４Ａ、１６４Ｂ、１６２Ａ、１６２Ｂ）は、前記ベッド上で仰臥位状態又は横臥位状態の要介護者に対して、前記表面に露出しないようになっている。面ファスナが、前記シーツの上面に露出すると、要介護者の着衣又は地肌に面ファスナが接することになり不快になる。そこで、面ファスナの配列位置を前記の通りとして、シーツとして機能するようにしている。
【００３０】
図６は、要介護者に本明細書で開示する介護用パンツ１を履かせる手順を示した図である。介護用パンツ１を展開した状態で、シーツとして利用している場合（図６（Ａ））、要介護者は、前記展開状態の介護用パンツ１、すなわち、シーツの上で仰臥位になっており、おむつの交換はパンツの着脱が不要となる。したがって、介護者の作業負荷が軽減される。この状態から、前記前身頃パーツを大腿部に巻き付け方向折り曲げ（図６（Ｂ））、要介護者に介護用パンツ１をはかせることができる（図６（Ｃ））。この間、要介護者は、仰臥位のままであり、介護者も、要介護者の要部、両脚などを持ち上げる作業が不要となる。なお、図５で説明した通り、脇丈辺が形成されていることにより、図６（Ｂ）の作業の際、折り曲げ位置の目安が明確である。
【００３１】
なお、介護用パンツ１の素材は、特に限定しないが、例えば、ネル起毛を使用してもよい。また、防水性を有する素材であってもよい。さらに、要介護者の身長に合わせてサイズは複数あってもよい。
【００３２】
以上の通り、本明細書で開示する介護用パンツ１は、ベッド上で展開することにより、シーツとしても機能し、介護者のパンツの着脱、おむつの交換時に作業負荷を軽減する効果を奏する。
【００３３】
この明細書で開示された技術は、前記実施形態に制限されない。すなわち、例示的に示された実施形態と、それらに基づく当業者による変形態様を包含する。また、一つの実施形態と他の実施形態との間における部品、要素の置き換え、または組み合わせを包含する。さらに、開示される技術的範囲は、実施形態の記載に限定されない。開示される技術的範囲は、特許請求の範囲の記載によって示され、さらに特許請求の範囲の記載と均等の意味および範囲内での全ての変更を含むものである。
【符号の説明】
【００３４】
１    介護用パンツ
１１  縫製部
１２  股上部
１３  股下部
１４  裁断部
１５  雌雄留め部
１６  係着部
１７、１８  脇縫い部
１９  尻繰り縫合部
【図１】
0003225415.tif 000003
【図２】
0003225415.tif 000004
【図３】
0003225415.tif 000005
【図４】
0003225415.tif 000006
【図５】
0003225415.tif 000007
【図６】
0003225415.tif 000008